Podtech/llm-jp-corpus-v4-ja_patent huggingface dataset:
(57)【要約】      （修正有）【課題】ブラジャー、キャミソール等の肩紐に装着し、肩から肘の二の腕部分または手首までをより魅力的にみせるアクセサリーで、装着した個所から日常の動作によって、アクセサリーの位置がずれない様にする。【解決手段】肩紐に装着するアジャスター１，２を２カ所設けることで、鎖３，４が鎖５を肩中心に位置する様補助する。日常の動作でもずれることなく、鎖等の動きは美しいままで、直立した姿勢に戻れば、アクセサリーの鎖部分は肩中心に垂れ下がる様装飾することができる。【選択図】図１
0003137105.tif 000002
【実用新案登録請求の範囲】
【請求項１】
ブラジャーや水着、またはキャミソール等の肩紐にアジャスターを装着し、その先に鎖、パール、ビーズ、チャームなどを付けた、肩から腕を装飾するアクセサリー。
【請求項２】
請求項１記載アクセサリーの先端にブレスレットを付けたアクセサリー。
【考案の詳細な説明】
【技術分野】
【０００１】  本考案は、ブラジャー、水着、キャミソールなどの肩紐にアジャスターを装着し、肩から付ける事のできるアクセサリーに関するものです。
【背景技術】
【０００２】  夏はキャミソール等、腕を出す洋服を着る人達が増えました。しかしながらその腕を装飾している人は目にすることがありません。肩から肘または手首までの部分に垂れ下がるアクセサリーは女性の美しさを際立てる装飾品になると考えます。
【考案の開示】
【考案が解決しようとする課題】
【０００３】  簡単に装着でき、且つ日常の動作でずれる事なく腕を美しく見せることのできるアクセサリーがあれば、お洒落の幅も広がります。
【課題を解決するための手段】
【０００４】  肩につけるアクセサリーというのは、やはり肩紐に装着させなくてはなりません。１カ所での装着では、付けているうちにアクセサリー自体が、人の動きにより偏った場所に動いてしまうので、２カ所の装着部分を設けました。着脱が簡単にできる様、装着する部分は引っ掛けるだけです。ネックレスをとめるよりも安易にできるようアジャスターを使用しています。
【考案の効果】
【０００５】  ２カ所を装着することにより、日常の動作でも鎖や先端のチャーム等の動きは美しいままで、且つ直立姿勢に戻った時は、肩中心にアクセサリーの鎖が垂れ下がる様装飾することができます。女性らしさの象徴でもある二の腕を装飾するアクセサリーの需要は、今後多くなると考えます。ネックレスやブレスレット同様、もっと注目されるはずです。
【考案を実施するための最良の形態】
【０００６】  肩紐に装着する２カ所のアジャスターを、ブラジャー等の肩紐の肩頂上の部分から前方向３ｃｍ程の所に一つ、後ろ方向３ｃｍ程の所に一つと分けて装着します。アクセサリーの鎖が肩の中心に垂れ下がるように装着します。
【実施例】
【０００７】  以下、添付図面に従って装着例を説明します。１、２は透明の素材、合成樹脂やプラスチック等適宜素材を用いて形成されたアジャスターです。１と２は同様に中心の部分ａのみが肩紐の下になるよう装着します。１はブラジャー等の肩紐の肩頂上より前方向３ｃｍ程の所に装着します。２はブラジャー等の肩紐の肩頂上より後ろ方向３ｃｍ程の所に装着します。５の鎖部分が肩の外側中心にくる様に１、２を調整します。３、４の鎖部分が、５の鎖を常に肩の中心にいるようにする為の補助をします。【０００８】  肩から手首までを装飾するアクセサリーも、二の腕を装飾するアクセサリー同様に装着し、６のブレスレットを手首に装着します。
【図面の簡単な説明】
【０００９】
【図１】本考案の二の腕を装飾するアクセサリーの全体図
【図２】本考案の肩から手首までを装飾するアクセサリーの全体図
【図３】本考案の二の腕を装飾するアクセサリーの装着例を示す図
【図４】本考案の肩から手首までを装飾するアクセサリーの装着例を示す図
【符号の説明】
【００１０】１  アジャスター（前装着部分）
２  アジャスター（後ろ装着部分）
３  鎖（前補助）
４  鎖（後ろ補助）
５  鎖（装飾部分）
６  ブレスレット
【図１】
0003137105.tif 000003
【図２】
0003137105.tif 000004
【図３】
0003137105.tif 000005
【図４】
0003137105.tif 000006
(57)【要約】      （修正有）【課題】折りたたみが簡単で確認しやすく、内側の紐とおし穴がある事により落下予防にもなり、内側に設けられた中心部の帯と各コーナーに付けられた帯によって、表示しやすく保持しやすい手帳ケースを提供する。【解決手段】ケース本体１と、該ケース本体１の内側面中央の折り曲げ部１Ｂ両側に位置して、縦断するように設けた左右の中央部抑え帯２と、ケース本体の内側面四隅に設けた角隅部押さえ帯３がある事により手帳及び証書の落下を防ぐ。【選択図】図５
0003137103.tif 000002
【実用新案登録請求の範囲】
【請求項１】
少なくとも二つ折り可能なケース本体と、該ケース本体の内側面中央の折り曲げ部両側に位置して、縦断するように設けた左右の中央側押さえ帯と、前記ケース本体の内側面四隅に設けた角隅押さえ帯とから構成してなる手帳用ケース。
【請求項２】
前記ケース本体の外側裏面に、切符類収納差し込み口を設けてあることを特徴とする請求項１記載の手帳用ケース。
【請求項３】
前記ケース本体は、素材として厚さ０．４ｍｍから０．７ｍｍのビニール、皮、レザー、布、紙のいずれかを使用することを特徴とする請求項１記載の手帳用ケース。
【考案の詳細な説明】
【技術分野】
【０００１】本考案は、手帳ケースの内側に設けた帯により、例えば保健証、障害者手帳等の脱落を防止することができる手帳用ケースに関するものである。
【背景技術】
【０００２】従来の手帳用ケースは、二つ折りしたケース本体の間に保健証などをはさみ込む形態のものであった。表面に差し込み口はないし内側に帯がなく、はさみ込んだものが落下するおそれがあった。
【考案の開示】
【考案が解決しょうとする課題】
【０００３】上述した従来の手帳用ケースは、表面に差し込み口はないし内側に帯はなく、はさみ込んだものが落下するおそれがあった。また従来販売されているハードケース、ソフトケースは差し込んで所持すると汗をかき蒸れてシワになり、記載している文字等が見えずらくなるという欠点がある。
【０００４】本考案は、上述した従来の欠点、不具合に鑑みなされたもので、保健証などが落下することがないし、折りたたみが簡単であるから手帳等の記載内容の確認がしやすく、切符類も簡単かつ安全に収納することのできる手帳用ケースを提供する。
【課題を解決するための手段】
【０００５】上記の目的を達するために、本考案の手帳用ケースは少なくとも二つ折り可能なケース本体と、該ケース本体の内側面中央折り曲げ部両側に位置して、縦断するように設けた左右の中央側押さえ帯と、前記ケース本体の内側面四隅に設けた角隅押さえ帯とから構成してなる手帳用ケース。
【０００６】前記手帳ケース本体の外側裏面に、切符類収納差し込み口を設けてあることを特徴とする手帳用ケースである。
【０００７】ケース本体は、素材として厚さ０．４ｍｍから０．７ｍｍのビニール、皮、レザー、布、紙のいずれかを使用することを特徴とする手帳用ケースである。
【考案の効果】
【０００８】（１）ケース本体の内側に中央側押さえ帯と、四隅に角隅押さえ帯を設けて保健証などを挟持するようにしたから、携帯時や使用中に落下するのを防止できる。
（２）ケース本体の外側面に切符類収納差し込み口を設けたから、サイズの小さい切符類を確実に収納でき、しかも取り出しやすい。
（３）ケース本体は、厚さが０．４ｍｍから０．７ｍｍの素材のものを用いてあり、従来のものより厚く、内側に挟む力が働くので収納しやすく、また、落下防止の効果がある。
【考案を解決するための最良の形態】
【０００９】本考案の実施例について説明します
本考案による手帳用ケースは、図１に示すようにケース本体１は横長四角形をなしており、内側面１Ａの中央は折り曲げ部１Ｂになって二つ折り可能としてある。２はケース本体１の内側面１Ａの折り曲げ部１Ｂの両側に設けた一対の中央側押さえ帯を示す。該各中央側押さえ帯２は、ケース本体１の上側から下側にかけて縦断するように設けてある。
【００１０】３はケース本体１の内側面１Ａの４か所の角隅に、外縁に対して斜めに設けた４個の角隅押さえ帯である。
【００１１】図４、図５はケース本体１の外側裏面１ｃに、横向きの袋状に設けた上、下２段の切符類差し込み口を示す、そして、外側の差し込み口５内にはリブ５Ａが設けてあり、切符類の薄い物を差し込みやすくしてあると共に、切符類がケース本体１に湿気などで付着するのを防止している。
【００１２】６，６はケース本体１の中央上側に位置して形成した紐通し穴で、該紐通し穴６，６はケース本体１を二つ折りの状態で掛け紐を通すものである。
【００１３】７はケース本体１を二つ折りの状態に保つための止め具を示し、該止め具７は、ケース本体１から突出形成した舌片７Ａと、該舌片７Ａに設けた雌スナップ７Ｂと、ケース本体１の他側に設けた雄スナップ７Ｃとから構成してある。そしてケース本体１を二つ折りにして雌スナップ７Ｂと雄スナップ７Ｃを嵌合することにより、舌片７ＡがＵ字状にケース本体１を押さえる。
【００１４】手帳用ケースは上述のように構成してあり、図５に示すように、ケース本体１の内面側１Ａには「交通機関敬老パス」を中央側押さえ押２，２と４個の角隅押さえ帯３，３で保持する。
【図面の簡単な説明】
【００１５】
【図１】本考案による手帳ケースに乗車券等を差し込んだ状態を示す裏面図である。
【図２】手帳ケースの表面図である。
【図３】図１中のＩＩＩ−ＩＩＩ矢示方向拡大断面図である。
【図４】手帳ケース本体を開いた状態を示す展開図である。
【図５】手帳ケースにおける交通機関のパス、障害者手帳等を差し込んだ状態を示す使用状態図である。
【符号の説明】
【００１６】  １、ケース本体
Ａ、内側面
Ｂ、折り曲げ部
Ｃ、外側裏面
２、中央側押さえ帯
３、角隅押さえ帯
４、切符類差し込み口
５、切符類差し込み口
６、紐通し穴
７、止め具
Ａ、舌片
Ｂ、雌スナップ
Ｃ、雄スナップ
【図１】
0003137103.tif 000003
【図２】
0003137103.tif 000004
【図３】
0003137103.tif 000005
【図４】
0003137103.tif 000006
【図５】
0003137103.tif 000007
(57)【要約】      （修正有）【課題】内視鏡下手術時に体内の組織を体外結紮鉗子で糸を送って結紮する時、常に糸に緊張をかけていなくても、糸が鉗子から外れにくい体外結紮鉗子を提供する。その結果として、結紮する組織の近くまで糸を誘導した後も、結紮位置を微調整することが可能となる。【解決手段】鉗子の先端の形状を工夫し、鉗子の先端の開く部分に横穴２１を開け、その穴が先端の側面２２と交通する構造にした。また鉗子の最先端には縦に溝２３を掘り、鉗子を閉じた状態でも糸２４を通せて、把持できるようにした。【選択図】図４
0003137101.tif 000002
【実用新案登録請求の範囲】
【請求項１】
内視鏡下手術時に使用する体外結紮鉗子の最先端に縦に溝を掘り、鉗子を閉じた状態でも糸をその溝に通せて、把持できるようにし、さらに先端の左右に開く部分には横穴を開け、その穴が先端の側面と交通するようにし、糸をその横穴に通して左右に出せる構造の体外結紮鉗子。
【考案の詳細な説明】
【技術分野】
【０００１】  本発明は、医学上の内視鏡下手術を行う場合に、体外結紮法で体内の組織を結紮鉗子を使用して結紮するときに使用する体外結紮鉗子に関するものである。
【背景技術】
【０００２】  体腔鏡下手術に体内の組織を糸で結紮するための鉗子としては、ギャザリー結紮鉗子が一般的に使用されている。この鉗子の先端には溝があり、その溝に糸を通し体外から体内の目的の場所まで誘導し、組織を結紮していた。
【考案の開示】
【考案が解決しようとする課題】
【０００３】  ギャザリー結紮鉗子を使用して結紮を行なう場合、溝に通した糸は鉗子から外れやすいため常に緊張をかけていなければいけなかった。このため、結紮される組織は引っ張られた状態になり、組織を損傷する可能性があった。また組織に緊張がかかっているため、結紮位置を微調整することは困難であった。
【課題を解決するための手段】
【０００４】  以上の課題を解決すべく、鉗子の先端の形状を工夫した。本考案を図１から図４に基づいて説明する。鉗子の先端の開く部分に横穴２１を開け、その穴が先端の側面２２と交通する構造にした。また鉗子の最先端には縦に溝２３を掘り、鉗子を閉じた状態でも糸２４を通せて、把持できるようにした。
【実施例】
【０００５】  本鉗子を使用して体外結紮を行なう手順を示す。まず糸を体内の結紮する組織に巻きつける。次に糸２４の両端を体外に出し、結び目を作る。【０００６】［図４］のごとく、この結び目の手前の２本の糸２４の間に鉗子を挿入し、鉗子の先端を開き、糸２４に押し付けながら手前に引くと、糸２４は鉗子の側面の溝２２から鉗子に空けた横穴２１に入る。次に鉗子を閉じ鉗子の最先端に空けてある縦溝２３に結び目の向こう側の糸２４を挟む。この状態で結び目を体内に送り込み、結紮する組織の手前まで送る。この時糸２４は鉗子の閉じた先端の隙間の縦溝２３の間にあり、緊張をかけなくても鉗子から外れる心配がない。【０００７】  また結紮する組織の近くに結び目を送った状態でも、糸に緊張をかけておく必要がないため、結紮する組織と糸は軽く触れている状態のため、結紮する位置を微調整することが可能である。
【考案の効果】
【０００８】  この体外結紮鉗子を使用して結び目を体内に送り込むとき、鉗子を閉じた状態で、糸は鉗子の最先端の縦溝２３から横穴２１に入り、横穴２１から左右に出るため、鉗子を閉じておけば糸２４に緊張をかけていなくても鉗子から外れる心配がない。また結紮する組織の近くに結び目を送った後も、糸に緊張をかけておく必要がなく、結紮する組織と糸は軽く触れている状態を保てる。このため、結紮する位置を左右にずらし、微調整することが可能である。
【図面の簡単な説明】
【図１】体外結紮鉗子全体を横から見た図である。
【図２】体外結紮鉗子の先端の拡大図である。
【図３】体外結紮鉗子の先端を斜めから見た図である。
【図４】体外結紮鉗子の先端を開き、糸を横穴に通した図である。
【符号の説明】
１１    先端
２１    先端の左右に開く部分の横穴
２２    先端の左右に開く部分の横穴の側面への開口部
２３    先端の左右に開く部分の縦溝
２４    糸
【図１】
0003137101.tif 000003
【図２】
0003137101.tif 000004
【図３】
0003137101.tif 000005
【図４】
0003137101.tif 000006
(57)【要約】【課題】液晶表示装置用バックライトの端辺暗部を改善し、面輝度均一性を向上することができる冷陰極管および冷陰極管用ホルダーを提供することを目的とする。【解決手段】本考案の冷陰極管は、より短小な端部電極とより薄いソケットからなるとともに、本考案の冷陰極管用ホルダーはソケット部のみを保持し、冷陰極管を遮蔽しない構造とすることにより、同じ冷陰極管長で蛍光体の有効発光長が長くなることから液晶表示装置用バックライトの端辺暗部の輝度が改善し、面輝度均一性が向上する。【選択図】図３
0003137110.tif 000002
【実用新案登録請求の範囲】
【請求項１】
より短小な端部電極およびより薄いソケットからなる冷陰極管とソケット部のみを保持する冷陰極管用ホルダーからなる構造を有し、同じ冷陰極管長さでも蛍光体の有効発光長が長いことを特徴とする冷陰極管および冷陰極管用ホルダー。
【請求項２】
サイドライト型バックライトの光源構造の改善に関するものであって、特に液晶表示装置用バックライトの端辺暗部の輝度を高め、輝度均一性を向上させることを特徴とする〔請求項１〕に記載の冷陰極管および冷陰極管用ホルダー。
【考案の詳細な説明】
【技術分野】
【０００１】本考案は、サイドライト型バックライトの光源構造の改善に関するものであって、特に液晶表示装置用バックライトの端辺暗部の輝度を高め、輝度均一性を向上させる冷陰極管および冷陰極管用ホルダーに関する。
【背景技術】
【０００２】液晶表示装置用バックライトは液晶パネルの面光源としての重要な役割を有し、十分な輝度と輝度均一性が要求される。【０００３】しかるに液晶表示装置用バックライトは、光源としての冷陰極管と面光源としての導光体からなるが、デザイン上の理由からバックライトのハウジング寸法には制限があり、冷陰極管の蛍光体の有効発光長より導光体長が長く、冷陰極管と直行する導光体端辺が暗くなることから、これらの導光体端辺は中心部とは別に特別なドット印刷あるいは光学パターンが必要とされる。
【考案の開示】
【考案が解決しようとする課題】
【０００４】従来技術は、液晶表示装置用バックライトの機種変更毎に、導光体端部の暗部を解消するために導光体中心部とは別に端辺に特別なドット印刷パターンあるいは光学パターンが必要との問題がある。【０００５】そこで、本考案は上記従来の問題を導光体と冷陰極管および冷陰極管用ホルダーの観点から見直し、より容易に導光体のパターン設計、生産が可能となる冷陰極管および冷陰極管用ホルダーを提供することを目的としている。
【課題を解決するための手段】
【０００６】上記目的を達成するため、本考案の冷陰極管は、より短小な端部電極とより薄いソケットからなる。また本考案の冷陰極管用ホルダーはソケット部のみを保持し、冷陰極管を遮蔽しない構造とすることにより、同じ冷陰極管長で蛍光体の有効発光長が長くなるという特徴とする。
【考案の効果】
【０００７】本考案の冷陰極管および冷陰極管用ホルダーと端辺に特別なドット印刷あるいは光学パターンを設けない導光体を従来デザインのバックライトハウジングに組み込んだところ、従来の構成と遜色ない端辺輝度と輝度均一性が得られた。
【考案を実施するための最良の形態】
【０００８】液晶表示装置用バックライトは、光源としての冷陰極管と面光源としての導光体からなるが、従来の冷陰極管はバックライトのハウジング寸法に合わせて規格化されたものが用いられ、導光体パターンを工夫することにより商品化されてきた。【０００９】本考案は、導光体と冷陰極管および冷陰極管用ホルダーの観点から見直すことにより、従来は導光体端辺に特別なドット印刷あるいは光学パターンなしでは冷陰極管と直行する導光体端辺が暗くなるという問題点を解消する冷陰極管を提供することにある。【００１０】本考案の冷陰極管を従来のバックライトに組み込むことにより、導光体端辺に特別なドット印刷あるいは光学パターンが必要でなくなり、より容易に導光体のパターン設計、生産が可能となることから、商品化が容易となる。
【実施例】
【００１１】実施例について〔図１〕から〔図５〕を参照に説明すると、本考案の冷陰極管は、〔図１〕に示すように端部電極２を従来品より短小とすること、あるいは〔図２〕に示すようにソケット部に組み込むことにより冷陰極管端部の輝度低下部分を減少し、かつソケット３をより薄くすることで、同じ冷陰極管長で蛍光体１の有効発光長を長くすることが可能となる。【００１２】冷陰極管用ホルダー４は、〔図４〕およびし〔図５〕に示すようにソケット３の部分のみを保持する構造とすることで、冷陰極管端部の発光を遮蔽しないことにより、蛍光体の発光部を有効に利用できる。
【産業上の利用可能性】
【００１３】本考案は、ノートパソコンおよびデスクトップモニターに最適な液晶表示装置用バックライト光源としての冷陰極管および冷陰極管用ホルダーに関するものである。
【図面の簡単な説明】
【００１４】
【図１】本考案の冷陰極管の正面図
【図２】本考案の冷陰極管の正面図
【図３】本考案の冷陰極管と冷陰極管用ホルダーの正面図
【図４】本考案の冷陰極管と冷陰極管用ホルダーの側面図
【図５】本考案の２本の冷陰極管と冷陰極管用ホルダーの正面図
【符号の説明】
【００１５】  １  蛍光体
２  電極
３  ソケット
４  ホルダー
【図１】
0003137110.tif 000003
【図２】
0003137110.tif 000004
【図３】
0003137110.tif 000005
【図４】
0003137110.tif 000006
【図５】
0003137110.tif 000007
(57)【要約】【課題】  この考案は、植木鉢本体内側上部（栽培土で隠れる位の位置）に筒を取り付けるだけの物で、安価に提供でき、植木鉢に支柱を立てる際、支柱立て筒に支柱を挿入することにより支柱が動くことなく効率よく、いらいらする事無く、作業が気楽に出来る。【解決手段】  植木鉢内側上部に支柱を立てる小さな筒を取り付けるだけで他のものは一切ない。（今まで発表されているものは、ゴムを取り付けたり、植木鉢本体に何か工夫された大きなものを取り付けてあった）支柱を立てる個数は草花の種類・枝等の整形の仕方によっていろいろであるが、６個ぐらい取り付けておけば十分と思える。支柱を増やすときは隣の支柱に添えればよいし、減らすときは必要でないものは使用しなくてよい。支柱立ての大きさは、直径１２ミリ・長さは４０ミリ、及び直径７ミリ・長さ３０ミリ前後の２種類あれば家庭用としては十分と思われる。あまり大きな草木の整形は風に飛ばされる。【選択図】図２
0003137102.tif 000002
【実用新案登録請求の範囲】
【請求項１】
植木鉢の内側上部に取り付け可能な、花・草木等を支持・整形する支柱を立てる事を目的とした支柱固定用筒。
【考案の詳細な説明】
【技術分野】
【０００１】  本考案は、植木鉢で花・草木等を栽培する際、支柱の脚を固定し、作業の効率を良くする為に、植木鉢の内側上部に筒を取り付けるものである。
【背景技術】
【０００２】  植木鉢で、花・草木等を栽培する支柱を立てる時、今までは栽培土の性状や外力等で立設状態が不安定になり、ぐらついて支え棒としての機能を喪失したり、草木の根を傷めたりすることが往往にしてあった。【０００３】
【特許文献１】  実開平８−１６３３号公報
【特許文献２】  実開平昭６１−８３８５０号公報
【考案の開示】
【考案が解決しようとする課題】
【０００４】  本考案は、上述の情況に鑑み、植木鉢の栽培容器において、栽培植物を支える支柱を用いる際に，その立設を極めて安価に容易に行える上、又支柱によって花・草木等の根を痛める懸念が無く、且つ安定した立設状態を維持できる手段を提供する事を目的としている。
【課題を解決するための手段】
【０００５】  そこで本考案は、この課題を解決すべく、植木鉢本体内側上部に数個の支柱固定用筒を取り付けた。すなわち、本考案に係る支柱固定用筒は、植木鉢で花・草木等の支持・整形する際、容易に確実に能率よく支柱を固定する事を目的としたものである。
【考案の効果】
【０００６】  以上説明したように、この考案の支柱を立てる筒を取り付けた植木鉢は、可動部が無く構造がきわめて簡単なので、故障が無く安価に提供できる。特に今まで栽培土に直接支柱を差し込むのは、動いて安定しにくかったので作業時いらいらしたが、支柱立て筒に差し込んでの作業は、しっかり簡単に固定が出来、今までと比べて作業効率が良い。又支柱を立てる際に草木を痛める事が無い。
【考案を実施するための最良の形態】
【０００７】  本考案は、簡単・単純・明快で、筒を内側上部に取り付けただけのもので、植木鉢本来の外観も損なわないし、草木を傷めることも無い。
【実施例】
【０００８】    鉢に取り付ける筒は、鉢と同質性の物で、図に示すように鉢の内側上部（栽培土で隠  れるくらいの位置）に取り付ける。筒の直径は、栽培する草木の大きさにもよるが、図  の物は直径１２ミリ前後で、長さは４０ミリ位の物である。現在大分細い支柱も市販さ  れているが、直径７ミリ・長さ３０ミリ位の物と２種類あれば家庭用としては十分と思  われる。【０００９】  使用するときは、今までの鉢となんら代わりは無い。必要に応じて、花・草木等を整形し、きれいに見たい・見せたいときに、支柱立てよう筒に差し込み使用すればよい。
【産業上の利用可能性】
【００１０】  本考案は、植木を支える支柱が倒れないように、植栽作業が楽に出来るようにしたものである。例えば、小学校の植栽授業でアサガオの支柱を立てる時等まだ手作業の不慣れな子供にも、いらいらしないで簡単に支柱を固定立設できる。
【図面の簡単な説明】
【図１】本考案にかかる支柱立て筒を、鉢に取り付けて真上から見た概略図である。
【図２】本考案にかかる支柱立て筒を、取り付けた斜視図である。
【図３】本考案にかかる支柱立て筒を使用、栽培土を入れ、支柱を立てた斜視図である。
【符号の説明】
１．支柱を立てる筒
２．植木鉢
３．支柱
４．栽培土
【図１】
0003137102.tif 000003
【図２】
0003137102.tif 000004
【図３】
0003137102.tif 000005
(57)【要約】      （修正有）【課題】電車特有の騒音や粉塵、レールの摩耗、電車の車輪の摩耗を解消する。【解決手段】始点レールブロック、右延長レールブロック、左延長レールブロックを組み合わせる事により、２本のレールの繋ぎ目部分をずらし、千鳥にレールを敷設する。【選択図】図８
0003137119.tif 000002
【実用新案登録請求の範囲】
【請求項１】
始点レールブロック、右延長レールブロック、左延長レールブロックを組み合わせ、２本のレールの繋ぎ目部分の位置を並べず千鳥になるようにして、電車が通過する際に出る騒音、粉塵、電車の車輪の摩耗、レール自体の摩耗を低減させた鉄道用レールユニット。
【考案の詳細な説明】
【技術分野】
【０００１】  本考案は鉄道用のレールに関する。
【背景技術】
【０００２】  従来の鉄道用レールでは平行に並んだ２本のレールにおいて、それぞれの繋ぎ目が電車の車輪が同時に通過する位置に設けられていた。
【考案の開示】
【考案が解決しようとする課題】
【０００３】  しかし、これでは、電車の車輪が２本のレールの繋ぎ目を同時に通過するため、騒音や粉塵、電車の車輪の摩耗、レールの摩耗の原因となる。
【課題を解決する為の手段】
【０００４】  そこで、始点レールブロック（図１）、右延長レールブロック（図２）、左延長レールブロック（図３）を組み合わせる事により、２本のレールの繋ぎ目部分をずらし、千鳥にレールを敷設する。
【考案の効果】
【０００５】  よって、本考案の鉄道用レールユニットにより、電車がレールの繋ぎ目を通過する際、２本のレールの繋ぎ目をずらしているため、電車の左右の車輪が繋ぎ目を同時に通過することが無くなり、騒音や粉塵が減る。また、レールの摩耗、電車の車輪の摩耗も低減される。
【考案を実施するための最良の形態】
【０００６】  図６は２本の鉄道用レールの繋ぎ目が千鳥になる事を特徴とする、始点レールブロック（図１）と右延長レールブロック（図２）を組み合わせた平面図である。同図に示すように、２本の鉄道用レールの繋ぎ目が千鳥になる為、電車が通過する際の騒音や粉塵、電車の車輪の摩耗、レール自体の摩耗を低減させることができる。
【図面の簡単な説明】
【０００７】
【図１】  始点レールブロックを上から見た平面図である。
【図２】  右延長レールブロックを上から見た平面図である。
【図３】  左延長レールブロックを上から見た平面図である。
【図４】  始点レールブロックが右延長レールブロックを待機している状態を上から見た平面図である。
【図５】  始点レールブロックが左延長レールブロックを待機している状態を上から見た平面図である。
【図６】  始点レールブロックと左延長レールブロックを繋いだ状態を上から見た平面図である。
【図７】  始点レールブロックと右延長レールブロックを繋いだ状態を上から見た平面図である。
【図８】  始点レールブロックから右に延長していったレール敷設の最後を表した平面図である。
【図９】  始点レールブロックから左に延長していったレール敷設の最後を表した平面図である。
【符号の説明】
【０００８】    １    枕木
２    繋ぎ目
３    レールａ
４    レールｂ
５    レールｃ
６    レールｄ
７    レールｅ
８    レールｆ
９    レールｇ
１０    レールｈ
１１    レールｉ
【図１】
0003137119.tif 000003
【図２】
0003137119.tif 000004
【図３】
0003137119.tif 000005
【図４】
0003137119.tif 000006
【図５】
0003137119.tif 000007
【図６】
0003137119.tif 000008
【図７】
0003137119.tif 000009
【図８】
0003137119.tif 000010
【図９】
0003137119.tif 000011
(57)【要約】      （修正有）【課題】紙やガスなどを燃やすことなく、安全に線香を着火させる線香着火装置を供給する。【解決手段】太陽電池パネル１からの電力をバッテリー３へ充電しておき、線香７に着火する時はバッテリーからヒーター４に電力を供給し加熱させ線香を着火することができる。【選択図】図１
0003137116.tif 000002
【実用新案登録請求の範囲】
【請求項１】
太陽電池パネルからバッテリーへ電力を充電しておき、線香をヒーターに接触させてスイッチを入れることによりバッテリーからヒーターに電力が供給される構造により、線香を点火する装置。
【考案の詳細な説明】
【技術分野】
【０００１】  本考案は、太陽電池パネルを利用した線香着火装置に関するものである。
【背景技術】
【０００２】  従来の線香の着火方式は、紙などを燃やしその火によって着火させたり、ガスを燃やしその火によって着火させるものであった。
【考案の開示】
【考案が解決しようとする課題】
【０００３】  解決しようとする問題点は、線香の着火の際に紙やガスなどを燃やしたりする危険性や煩わしさを削除することである。
【課題を解決するための手段】
【０００４】  本考案は、太陽電池パネルからの電力をバッテリーへ蓄積しておき、バッテリーからヒーターへ電力を供給することによりヒーターを加熱し線香に着火することである。
【考案の効果】
【０００５】  本考案は、線香の着火の際に紙やガスなどを燃やしたりする危険性や煩わしさを削除し、ヒーターに線香を接触させスイッチを入れるだけで簡単に着火することができる。
【考案を実施するための最良の形態】
【０００６】  お墓の線香立てなどの近傍に太陽電池パネルを設置し、太陽電池パネルからの電力をバッテリへ蓄積する。線香を着火する際はスイッチを入れ、バッテリーからの電力でヒーターを加熱し、その熱で線香に着火することができる。
【実施例１】
【０００７】  図１は、本考案の線香着火装置の実施例を示す。太陽電池パネル１はお墓の線香立てなどに太陽の光を受けやすいように設置される。太陽電池パネル１で発生させられた電力は充電用回路２を通りバッテリー３に蓄積される。線香７に着火する時は、スイッチ５をＯＮにしバッテリー３から電力をヒーター４に供給することにより、ヒーター４を線香７に着火できる温度まで上げることができ線香７への着火が可能になる。
【図面の簡単な説明】
【０００８】
【０００９】
【図１】本考案の線香着火装置の実施例を示すシステム図である。
【符号の説明】
【００１０】１    太陽電池パネル
２    充電用回路
３    バッテリー
４    ヒーター
５    スイッチ
６    線香入
７    線香
【図１】
0003137116.tif 000003
(57)【要約】【課題】  子供が楽しんで弾けると共に歯に関する知識を教授することができる楽器を提供する。【解決手段】  鉄琴２を歯牙の形状をした部材１に埋め込む。該歯牙の形状をした部材１の複数を、人間の歯列と同様に並べて固定する。前記歯牙の形状をした部材１に埋め込んだ鉄琴２は、歯列の一方側から他方側に向けて順に音が高くなるようにする。【選択図】図６
0003137113.tif 000002
【実用新案登録請求の範囲】
【請求項１】
鉄琴を歯牙の形状をした部材に埋め込み、該歯牙の形状をした部材の複数を、人間の歯列と同様に並べて固定し、前記歯牙の形状をした部材に埋め込んだ鉄琴は、歯列の一方側から他方側に向けて順に音が高くなるようにしてなる鉄琴を使った楽器。
【請求項２】
歯牙の形状をした部材の夫々に、その名称を表示してなる請求項１記載の鉄琴を使った楽器。
【考案の詳細な説明】
【技術分野】
【０００１】  本考案は、鉄琴を歯牙の形状をした部材に埋め込み、この部材を人間の歯牙の配列と同様に並べた楽器に係わる。
【背景技術】
【０００２】  鉄琴は、ドレミファソラシドと、単純に並べてある楽器であり、単にたたいて遊ぶだけのものにすぎない。
【考案の開示】
【考案が解決しようとする課題】
【０００３】  本考案は、子供が楽しんで弾くことができ、更に音感教育と同時に、歯の名称、並び方等の歯に関する知識を教授することができる知育玩具として最適な楽器を提供しようとするものである。
【課題を解決するための手段】
【０００４】  本考案の要旨とするところは、鉄琴を歯牙の形状をした部材に埋め込み、該歯牙の形状をした部材の複数を、人間の歯列と同様に並べて固定し、前記歯牙の形状をした部材に埋め込んだ鉄琴は、歯列の一方側から他方側に向けて順に音が高くなるようにしてなる鉄琴を使った楽器にある。【０００５】  また、上記構成において、歯牙の形状をした部材の夫々に、その名称を表示するようにしてよい。
【考案の効果】
【０００６】  本考案は、子供が楽しく遊ぶことができ、更に音感教育と同時に、歯の名称、並び方等の歯に関する知識を教授することができ、知育玩具としても最適である。
【考案を実施するための最良の形態】
【０００７】  本考案を実施するための最良の形態は、鉄琴を歯牙の形状をした部材に埋め込み、該歯牙の形状をした部材の複数を、人間の歯列と同様に並べて固定し、前記歯牙の形状をした部材に埋め込んだ鉄琴は、歯列の一方側から他方側に向けて順に音が高くなるようにしてなる鉄琴を使った楽器にある。
【実施例】
【０００８】  以下、本考案の実施例について説明する。
図１は本考案の実施例に係る鉄琴を使った楽器の斜視図、図２は正面図、図３は平面図、図４は鉄琴を埋め込んだ歯牙の形状をした部材の斜視図、図５は鉄琴を埋め込んだ歯牙の形状をした部材の中央縦断面図、図６は要部の部分拡大平面図である。【０００９】  鉄琴２を歯牙の形状をした部材（本実施例では木材１）に埋め込み、該歯牙の形状をした部材１の複数を、人間の歯列と同様に並べて固定し、前記歯牙の形状をした部材１に埋め込んだ鉄琴２は、歯列の一方側から他方側に向けて順に音が高くなるようにしてなるものである。また、本実施例では、歯牙の形状をした部材１をギターの形をした脚部付きの木の箱３の上面に並べて配置してあり、そしてまた、該ギターの形をした木の箱３にはグランドピアノの如く蓋５を被せることができるようにしている。【００１０】  歯の形状をした部材１の夫々に、その名称を表示しており、この表示の仕方は、図４に示すように歯の形状をした部材１の上面に直接表示するようにしてもよいし、或いは図６に示すように、その周囲に表示するようにしてもよい。尚、本実施例においては音階も一緒に表示している。
【図面の簡単な説明】
【００１１】
【図１】  本考案の斜視図である。
【図２】  本考案の正面図である。
【図３】  本考案の平面図である。
【図４】  鉄琴を埋め込んだ歯牙の形状をした部材の斜視図である。
【図５】  鉄琴を埋め込んだ歯牙の形状をした部材の中央縦断面図である。
【図６】  本考案の要部の部分拡大断面図である。
【符号の説明】
【００１２】  １．歯牙の形状をした部材
２．鉄琴
３．ギターの形をした木の箱
４．脚部
５．蓋
【図１】
0003137113.tif 000003
【図２】
0003137113.tif 000004
【図３】
0003137113.tif 000005
【図４】
0003137113.tif 000006
【図５】
0003137113.tif 000007
【図６】
0003137113.tif 000008
(57)【要約】      （修正有）【課題】プレス作業において、製品は絞ると同時に全く無理のない方法でトリミングできて従来行われていたトリミングダイセット等を用いた加工を省き、作業能率を著しく向上させる。【解決手段】中空状押し出し孔を有する絞り込み用金型ポンチの外周に、絞る製品の寸法に応じた箇所に、底辺を絞る板厚の幅とした傾斜角状のトリミングを行う刃部を設ける。対するダイは、ポンチに応じた上部Ｒ面としたダイの孔を用い絞り加工を行う。従来不可能とされていた厚板２ミリとか５ミリ等も、絞ると同時にトリミングできるようにして且つトリミング屑の型よりの処理及び、製品の型よりの取り出しを共に解決し、製品Ａを作ることを可能にした。【選択図】図１
0003137120.tif 000002
【実用新案登録請求の範囲】
【請求項１】
絞り込み用ポンチの外周に傾斜角状の刃部を設けた、絞り込み用金型ポンチ。
【考案の詳細な説明】
【技術分野】
【０００１】  本考案は、金属プレス絞り用金型であるが、特に厚板２ミリとか５ミリ等も絞ると同時に、製品の上部に出る凹凸不要の箇所を、型内で輪切り状にトリミングできる絞り加工用金型である。このことは、従来不可能とされていた技術分野である。
【背景技術】
【０００２】  従来は、身近な例として、家庭用フライパン、又は四角い玉焼器等は、絞った後、できた上部の凹凸部分を別のプレスを用いて、トリミングングダイセットによるトリミング加工を行っていた。又、小さく絞ったものは小型旋盤等により、トリミング箇所を削っていたので非常に手間がかかっていた。
【考案の開示】
【考案が解決しようとする課題】
【０００３】  この考案を用いれば、高価なトリミングダイセット及び、それに伴うプレス等は必要としなくなる。従って、１工程で絞りとトリミングができるようにしたものである。
【課題を解決するための手段】
【０００４】  本考案は、中空状押し出し孔を有する絞り込み用金型ポンチの外周に、絞る製品の寸法の位置に、底辺を絞る板厚の幅とした傾斜角状の刃部を設けたポンチを上型とする。対する下型ダイは、ダイの孔の上部を絞る板厚等に応じたＲ面とする。上型下型ともプレスに取りつける。絞る金属板を、ダイの孔の上定位置に乗せ、ポンチ下降による絞り加工を行えば、絞りの最終段階で絞られた製品の上部に出る凹凸不用の箇所と、ポンチ刃部と共に並んだ形で、ダイＲ面内を絞りと共に下降トリミング箇所は、刃部に対して静かに切り込みを深めつつ、ダイＲ面内を下降、Ｒ面の終るところでダイの孔とポンチ刃部との隙間がなくなることによって、絞りが完了し、トリミング箇所も、トリミングが完了する。又、この考案を用いれば、厚板も絞りながらトリミングできる。従って課題を解決したものである。
【考案の効果】
【０００５】  上に述べたように、本考案を用いれば、特に厚板２ミリとか５ミリぐらいまで絞ると同時にトリミングできることにより、より複雑な形状のものまで連続してできるようにし、又、家庭用フライパン等をはじめ、電気製品の部品、自動車の部品、自転車の部品など、広範囲にわたって活用でき、生産性を著るしく向上させるものである。
【考案を実施するための最良の形態】
【０００６】  課題を解決するための手段、で述べたような、ポンチ及びダイによって絞り加工を行えば、絞りの最終段階で出る、凹凸不用な箇所と、ポンチの刃部と平行した形を、刃部による切り始めから切り終りまで、同一箇所を保ち、ダイ上部のＲ面を絞ることによって下降すれば、製品のトリミング箇所は静かに切り込みを深めつつ下降し、ダイの孔、Ｒ面の終りで、ポンチ刃部とダイの孔は、同じ板厚の基に製作されたものであるから、隙間がなくなる。従って、図面に示すように、絞りが完了し、トリミング箇所も、トリミングが完了する。又、ポンチ刃部の、傾斜角状の底辺の幅を変えることと、対応するダイの孔を用いることにより、特に板厚２ミリとか５ミリ等も、刃部に全く無理のかからない、絞りつつ切り込みを深める考案によって、刃部が破損したり、摩耗したりしない特徴を持っている。
【実施例】
【０００７】  以下添付図面に従って実施例を説明する。  中空状押し出し孔を有し、絞り込みを行うポンチ１の外周２に、絞る製品Ａのトリミングを行う箇所に、絞る板厚の幅を底辺４からなる、傾斜角状刃部３を設ける。これを上型とする。上型に対して下型ダイ６は固定してプレスに取り付ける。絞る金属板を、ダイの孔７の上部Ｒ面８の上に乗せ、ポンチ１の下降による製品Ａの絞り加工を行えば、絞り込みが最終段階に達した時点で、製品Ａの上部に出る凹凸トリミング箇所と、刃部３とともに、平行した形を、切り始めから、切り終りまで保ちつつ、ダイの孔７の上部Ｒ面８内を、ポンチの絞りによって下降すれば、図面イの点線に従い、製品Ａのトリミング箇所は、切り込みを深めつつ下降、Ｒ面８の終りで、図面に示すように、絞りとトリミングが同時に完了する。又、プレスの上昇に従って、ポンチ１の中空状孔５にあらかじめ押入してあった押し出し棒により、製品Ａはポンチ１から押し出され取り出す。又、トリミングされたトリミング屑には、プレス加工を行うつど、刃部３の傾斜角に沿って、順次に上に上って行き、ポンチ１の上部で取り除かれる。
【図面の簡単な説明】
【０００８】
【図１】  本考案のポンチ縦断面図
【図２】  本考案の実施例を示す縦断面図である。
【符号の説明】
【０００９】  １  ポンチ本体
２  ポンチ外周部
３  刃部
４  傾斜角状の底辺の幅
５  ポンチ１の中空孔
６  ダイ本体
７  ダイの孔
８  ダイの孔の上部にあるＲ面
Ａ  絞られトリミングされた製品
イ  絞りつつ下降するトリミング箇所の切り始めから、切り終りまでを示す点線
ロ  点線刃部と共に、下降するトリミング箇所を示す点線
ハ  点線は、刃部と共に下降するポンチ部の絞り込みを示す点線
ニ  トリミングされたトリミング屑
【図１】
0003137120.tif 000003
【図２】
0003137120.tif 000004
(57)【要約】      （修正有）【課題】まな板を円形両用として洗いやすく扱い安くて漂白入り海綿をはめ込み、いつでも衛生的に使用でき上下両用蓋で密着させ、まな板内部を清潔にして衛生第一としたまな板の提供。【解決手段】円形両用まな板１の上部４カ所を等分して包丁差入穴２を施こし、まな板内に密着した漂白入り海綿３をはめ込み、その上に両用の外蓋４を被せて、まな板本体の外側の中心部に両用蓋止め５を作りたる円形の両用蓋付漂白入り海綿による家庭用まな板に関するものである本体付属全て海綿を除いてプラスチックである。【選択図】図２
0003137111.tif 000002
【実用新案登録請求の範囲】
【請求項１】
円形両用まな板（１）の上部４カ所を等分して包丁差入穴を施こしまな板内には密着した漂白入り海綿（３）をはめ込んでその上に両用の外蓋（４）を被せてまな板本体の外側の中心部に両用蓋止め（５）を作りたる円形両用蓋付漂白入り海綿まな板の構造
【考案の詳細な説明】
【考案に関する分野】
【０００１】この考案は円形両用まな板（１）の上部４カ所を等分して包丁差入穴（２）を施こしまな板内に密着した漂白入り海綿（３）をはめ込みその上に両用の外蓋（４）を被せてまな板本体の外側の中心部に両用蓋止め（５）を作りたる円形の両用蓋付漂白入り海綿による家庭用まな板に関するものである本体付属全て海綿を除いてプラスチックである
【從来の技術】
【０００２】從来のまな板は扱いにくく流し台で洗いにくく大変不衛生そのものであった
【考案を解決する手段】
【０００３】本案はまな板を円形両用として洗いやすく扱い安くて漂白入り海綿をはめ込みいつでも衛生的に使用でき上下両用蓋で密着させまな板内部を清潔にして衛生第一とした点
【考案の効果】
【０００４】何時でも清潔第一に使用でき流し元で洗い安く扱い安く場所を取らない事不細工でなくプラスチック製で透明で美しい円形で虫が入らず中毒にならない等々又両用同一の状態で使用可能で裏返せばそのまま使用できる
【図面の簡単な説明】
【図１】円形両用蓋付漂白海綿入りまな板の平面図である
【図２】同上まな板の正面図である
【符号の説明】
１  円形両用まな板
２  包丁差入穴
３  漂白海綿入り
４、外蓋
５  両用蓋止め
【図１】
0003137111.tif 000003
【図２】
0003137111.tif 000004
(57)【要約】      （修正有）【課題】携帯型の送風ファンより屋外の作業、ベビーカー、車イスでの外出スポーツ観戦時等の防暑対策に多目的に簡便に利用できる自在アーム付き携帯型ファンの提供。【解決手段】本考案は、フレキシブルワイヤーの両端に小型電動ファンを取り付け、吸気・排気を行い、自然の空気（風）を吹きつけ、扇風機と同様の涼感が得られるものとしたものである。【選択図】図１
0003137112.tif 000002
【実用新案登録請求の範囲】
【請求項１】
フレキシブルワイヤーの両端にバッテリー稼働小型ファンを取り付け空気を吸い込み、上部に設けた排出口から空気（風）を吹き出し、涼風を得られことを特徴とする送風器付き携帯型ファンである。なお、片方のファンは取りはずし可能とした。
【考案の詳細な説明】
【技術分野】
【０００１】本考案は、フレキシブルワイヤーの両端にバッテリー稼働のファン（市販品）をバッグ取り付けた防暑対策のための携帯型ファンに関するものである
【技術背景】
【０００２】屋外における防暑対策として、繊維素材により冷感を求める衣服等の方法も開発されているが対策として十分でない
【０００３】本考案は、自然の空気を利用、ファンで強制的に取り入れた空気（外気）を人体に直接吹き当てる事により扇風機と同じ涼しさが得られる事とし、これを解決するものである
【０００４】市販の小型ファンをバッテリーで稼働。これをバッグの側面（人体の反対側）に取り付け、吸・排気用として使用することとした。風量も本考案の稼働時間も本考案目的に適しており、これを使用することとした
【考案の開示】
【考案が解決しようとする課題】
【０００５】現状の防暑対策としては、屋内・車内においては冷房設備によるもの方法があるが屋外においては、衣料素材による対処の方法しかないのが現状である。
【課題を解決するための手段】
【０００６】  本考案は、フレキシブルワイヤーに取り付けた小型ファンで自然の空気を必要な部分に吹き付けることができることにしたものである。
【考案の効果】
【０００７】本考案の方法では携帯型の送風ファンより屋外の作業、ベビーカー、車イスでの外出スポーツ観戦時等の防暑対策に多目的に簡便に利用できる。
【産業上の利用可能性】
【０００８】ファンの回転により屋外では、簡便に涼感効果が得られ、併せて室内利用おいても冷房の利用も軽減されることから、現状の課題である地球環境対策の一助にもなるものである【０００９】フレキシブルワイヤーとファンとは、接着剤、加熱圧着等で簡単に剥がれないよう取り付けること。またバッテリーは、ベルトに取り付け方法や、ポケットに収納する方法とする。ファンとバッテリーを結ぶ電線は、簡単に離れないよう結線する
【図面の簡単な説明】
【００１０】
【図１】側面図
【図２】作動方法説明図
【図３】正面図
【図４】ファン取り付け図（伸ばした状態）
【図５】人体への着用実例図
【図６】ベビーカーでの使用例
【図７】イスでの使用例
【図１】
0003137112.tif 000003
【図２】
0003137112.tif 000004
【図３】
0003137112.tif 000005
【図４】
0003137112.tif 000006
【図５】
0003137112.tif 000007
【図６】
0003137112.tif 000008
【図７】
0003137112.tif 000009
(57)【要約】【課題】機能と環境保全を兼ね備える組立て式収納可動棚の提供。【解決手段】機能と環境保全を兼ね備える組立て式収納棚は、棚体と複数の収納箱からなる。棚体は両側に側架を有し、両側壁は、対称な複数の横トラックを有する。収納箱は軟性の布材からなる箱体と、箱体上端開口周辺に組み合わせる硬質なフレーム体を有し、フレーム体を可動棚の横トラックに沿って滑入させて、収納棚可動棚を構成する。【選択図】図１
0003137176.tif 000002
【実用新案登録請求の範囲】
【請求項１】
機能と環境保全を兼ね備える組立て式収納可動棚であって、
内空間を有し、前記内空間の相対両側に垂直方向に排列された複数の横トラックを有する棚体と、
フレーム体、軟性の箱体、底板、及び、複数の棒からなり、前記フレーム体の周辺は、複数の上下に貫通する貫通槽孔を有し、前記箱体の上端辺は、前記貫通槽孔に対応する複数の耳を有し、前記耳は下から上に前記貫通槽孔を穿過した後、前記棒が前記耳を穿過して、前記箱体と前記フレーム体を固定し、前記底板が前記箱体内に配置され、前記フレーム体が前記棚体の横トラックに跨置される複数の収納棚と、
からなることを特徴とする機能と環境保全を兼ね備える組立て式収納可動棚。
【請求項２】
前記棚体は、二側架、上層仕切り、及び、下層仕切りを有し、前記上下仕切りは、それぞれ、両側架の間の上層と下層に設置され、前記横トラックは前記側架の内側面に設置されることを特徴とする請求項１に記載の機能と環境保全を兼ね備える組立て式収納可動棚。
【請求項３】
前記フレーム体の上方は凹槽を設置し、前記凹槽は、前記棒を置入し、前記貫通槽孔は前記凹槽の底面に設置されることを特徴とする請求項１に記載の機能と環境保全を兼ね備える組立て式収納可動棚。
【考案の詳細な説明】
【技術分野】
【０００１】
本考案は、組立てと分解が簡単で、機能と環境保全を兼ね備える組立て式収納可動棚に関するものである。
【背景技術】
【０００２】
一般の収納棚は、棚体と複数の収納箱からなり、棚体は木板やその他の材質からなり、複数の空間に区切られている。収納箱は木材やその他の材料により引き出しを有する固定形態にしてもよく、収納箱は棚体の空間内に滑入し、物品を収納する。
【０００３】
公知の棚体と収納箱の欠点は、廃棄後回収ができず、且つ、収納箱は固定形式であり、不使用時に、小体積に収合できず、廃棄後、分解が不便であることである。
【考案の開示】
【考案が解決しようとする課題】
【０００４】
本考案は、公知の収納可動棚が環境保全功能を具備せず、且つ、分解回収がしにくい欠点を改善する組立て式収納可動棚を提供することを目的とする。
【課題を解決するための手段】
【０００５】
本考案の組立て式収納可動棚は、環境に配慮した材質からなる棚体と複数の収納箱からなる。棚体は木材からなり、収納箱を放入する空間を有する。空間の両側は横トラックを有する。収納箱は軟性の布材からなる箱体と、箱体上端に設置されるフレーム体を有し、使用者は、収納箱のフレーム体を棚体の横トラック上に跨置し、横トラックに沿って滑動させることができる。              
【０００６】
本考案の組立て式収納可動棚は、棚体と収納箱が分解でき、廃棄後に回収できる。  
【考案の効果】
【０００７】
本考案の組立て式収納可動棚は、環境保全功能を具備し、また、廃棄後に、分解回収できる。
【考案を実施するための最良の形態】
【０００８】
図１は、本考案の機能と環境保全を兼ね備える組立て式収納可動棚を示す図で、環境保全の材料からなり、棚体１と複数の収納箱２からなる。棚体１の好ましい実施例は、二個の対称位置の側架１１を有し、側架１１の対応位置は、それぞれ、垂直方向に排列された複数の横トラック１４を有する。横トラック１４は嵌合方式で側架１１に組み合わされて、美観である。両側架１１の間の上方と下方はそれぞれ、上層仕切り１２と下層仕切り１３を組合せ、上下層仕切り１２、１３と側架１１の間は、木杭により固定する。
【０００９】
収納箱２は、箱体２２と、箱体２２上端に設置されたフレーム体２１を有する。箱体２２は、軟性の布材からなり、フレーム体２１は硬質の材料からなり、フレーム体２１は箱体２２上端に組み合わされた後、フレーム体２１を棚体１の横トラック１４に沿って滑入し、フレーム体２１を横トラック１４上に跨置する（図２で示される）。
【００１０】
図３は、本考案の収納の好ましい実施例構造を示し、硬質材料からなる四角形のフレーム体２１、軟性の布材からなる箱体２２、複数の棒２３、及び、底板２４からなる。封閉したフレーム体２１は中間に通孔２１３を形成し、フレーム体２１上面は凹槽２１１を形成する。凹槽２１１の底面は、複数の貫通槽孔２１２を設置する。箱体２２の上端縁は貫通槽孔２１２の位置に対応して耳２２１を設置する。棒２３は、耳２１１を穿過する。
【００１１】
図４は本考案の収納箱２の組み合わせ方式を示す図であり、まず、箱体２２の耳２２１が下から上にフレーム体２１の貫通槽孔２１２を穿過し、その後、棒２３がフレーム体２１上方から突出した耳２２１を穿過し、棒２３が凹槽２２１内に置入され、棒２３が隠蔵作用を得て、美観である（図５で示される）。この時、棒２３はフレーム体２１を抵止し、箱体２２をフレーム体１に固定する。底板２４は直接、箱体２２内に放置されて、箱体が軟性布材からなり潰れやすいのを防止する。
【００１２】
図６は、本考案の収納箱２の不使用時状態を示す図で、軟性の布材の撓曲特性により、直接、扁平状に折り畳み、収納する。
【図面の簡単な説明】
【００１３】
【図１】本考案の棚体と収納箱の組み合わせ関係を示す立体分解図である。
【図２】本考案の棚体内に複数の収納箱を組み合わせた実施例の立体図である。
【図３】本考案の収納箱の主要素子の組み合わせ関係を示す立体分解図である。
【図４】図３の箱体上の耳がフレーム体の貫通孔槽を穿出する実施例の立体図である。
【図５】図４の棒体が耳を穿過して、箱体とフレーム体が固定する実施例の立体図である。
【図６】本考案の箱体を扁平状に折り畳んだ実施例の立体図である。
【符号の説明】
【００１４】
１        棚体
１１      側架
１２      上層仕切り
１３      下層仕切り
１４      横トラック
２        収納箱
２１      フレーム体
２１１    凹槽
２１２    貫通孔
２１３    通孔
２２      箱体
２２１    耳
２３      棒
２４      底板        
【図１】
0003137176.tif 000003
【図２】
0003137176.tif 000004
【図３】
0003137176.tif 000005
【図４】
0003137176.tif 000006
【図５】
0003137176.tif 000007
【図６】
0003137176.tif 000008
(57)【要約】      （修正有）【課題】束ねた線香に火が付きやすくする。【解決手段】線香の先端に火薬を付ける。これにより、束ねた線香に火をつける際にも、全部の線香に火がつき易くなり、つき残りが出なくなる。【選択図】図１
0003137139.tif 000002
【実用新案登録請求の範囲】
【請求項１】
先端に火薬が付いている線香。
【考案の詳細な説明】
【技術分野】
【０００１】
本考案は、線香に関するものである。
【背景技術】
【０００２】
線香の束に火をつける際、火がつきにくかったり、火が線香の束全部になかなかつかなかったりした。
【考案の開示】
【考案が解決しようとする課題】
【０００３】
束ねた線香に火がつきやすくする。
【課題を解決するための手段】
【０００４】
線香の先端に火薬を付ける。
【考案の効果】
【０００５】
線香に火がつきやすくなり、束ねた線香に火をつける際などに束ねた全部の線香に火がつきやすくなる。
【考案を実施するための最良の形態】
【０００６】
線香の先端に火薬を付ける。
【産業上の利用可能性】
【０００７】
線香に便利なものができる。
【図面の簡単な説明】
【０００８】
【図１】先端に火薬が付いている線香の説明図である。
【符号の説明】
【０００９】
１  線香
２  火薬が付いている線香の先端
【図１】
0003137139.tif 000003